(57)【特許請求の範囲】
【請求項１】
遊技盤に設けられた入賞口よりも遊技球流動方向下流側の入賞流路に設けられ、当該入賞口に入賞した遊技球が通過する検出領域を備え、当該検出領域を遊技球が通過していない通常状態で０Ｖ以外の所定の電圧値に設定された第１の信号を出力し、当該検出領域を遊技球が通過している通過中に出力信号が無信号状態である第２の信号に反転する球検出信号を出力する複数の球検出センサと、
前記複数の球検出センサから前記第２の信号が出力された場合に、当該第２の信号が出力された球検出センサに該当する前記入賞口に遊技球が入賞したと認識し、遊技者に対して少なくとも賞球処理を実行する賞球処理実行制御手段と、
前記第２の信号への反転信号が生成される特定周波数電磁波を受信する受信範囲内に、前記複数の球検出センサの内の１つが位置している場合でも、当該特定周波数電磁波の受信範囲内に、少なくとも本体受信部の受信範囲又は本体受信部へ前記特定周波数電磁波を導くアンテナ部の受信範囲が入るように取り付けられ、正常な時は常に第２の信号を出力しており、前記本体受信部で前記特定周波数電磁波を受けた時、又は前記アンテナ部で前記特定周波数電磁波を受けた時は反転信号を出力する信号出力手段と、
前記信号出力手段からの信号が反転したか否かを監視する監視手段と、
を有する遊技機。
【請求項２】
前記信号出力手段が、
遊技球の流路以外に配置され、前記球検出センサと同一の機能を持つ擬似球検出センサと、
前記遊技球或いは前記擬似球検出センサに対して前記遊技球と同等の影響を与える磁性体の何れかで構成され、前記擬似球検出センサから前記第２の信号を出力させ続けるために、前記擬似球検出センサの検出領域に保持される保持部材とを備え、
前記擬似球検出センサには前記本体受信部が設けられ、前記複数の球検出センサが個々に前記特定周波数電磁波を受信することを想定して、何れかの前記球検出センサで前記特定周波数電磁波を受信した場合に、前記擬似球検出センサで前記特定周波数電磁波を受信し得るように、前記アンテナ部が張り巡らされていることを特徴とする請求項１記載の遊技機。
【請求項３】
前記入賞口に入賞した遊技球を案内すると共に、前記球検出センサがそれぞれ取り付けられた複数の案内流路、並びに前記信号出力手段を備えた球案内パネルをさらに有し、
前記球案内パネル上に設けられた前記球検出センサの一部を対象とする指向性を持つ前記特定周波数電磁波であっても、前記信号出力手段の受信範囲となるように、前記アンテナ部を球案内パネルに張り巡らせたことを特徴とする請求項１又は請求項２記載の遊技機。
【請求項４】
前記遊技盤面に対向するように、当該遊技盤面を隔離し、かつ保護するための透明ガラス板が取り付けられたガラス枠が配置されており、
前記アンテナ部が、遊技者の遊技盤面に対する視界を妨げないように、前記ガラス枠又はガラス板に沿って張り巡らされていることを特徴とする請求項１又は請求項２記載の遊技機。
【請求項５】
前記アンテナ部の一部が、前記保持部材に電気的に接続されていることを特徴とする請求項２〜請求項４の何れか１項記載の遊技機。
【請求項６】
前記監視手段で前記信号が反転したと判定した場合に、外部からの前記特定周波数電磁波の影響を受けていると判断して、少なくとも前記賞球処理実行制御手段による賞球処理を禁止する禁止手段をさらに有することを特徴とする請求項１〜請求項５の何れか１項記載の遊技機。
【請求項７】
前記アンテナ部が、線状、或いは板状に形成されていることを特徴とする請求項１〜請求項６の何れか１項記載の遊技機。
【発明の詳細な説明】
【技術分野】
【０００１】
本発明は、遊技球が遊技盤の表面に沿って、釘及び風車を含む障害物に当接しながら落下する領域に設けられ、入賞することで遊技の進行に変化をもたらす入賞口を備えた遊技機に関する。
【背景技術】
【０００２】
従来、遊技機、特にパチンコ機において、遊技球の発射操作によって遊技盤に遊技球を発射し、遊技盤に設けられた入賞口にパチンコ球が入賞すると予め定められた賞球数の遊技球が払い出される。また、これに加え、始動入賞口に遊技球が入賞、あるいは、抽選用のゲートを通過し、この通過した遊技球が再度遊技盤面に戻されると、制御上、内部的に抽選（当／落抽選）が実行され、役物内に設けた画像表示装置（ＬＥＤやＬＣＤ等）による図柄変動表示の演出、及び、他の画像表示演出によって抽選結果を報知する。この抽選結果の当選が報知された場合には、通常遊技状態では常に閉止状態の特別入賞口（「大入賞口」や「アタッカー」等と称する場合がある）が開放され、これにより、遊技盤面に打ち出された遊技球が特別入賞口に入賞し、この入賞に対する賞品球が払い出されるため、通常遊技状態よりも遊技者に有利な遊技状態（以下、「特別遊技状態」という）を付与することがなされている。なお、遊技球の入賞の検出は、入賞路に設けられた球検出センサによって行われる。
【０００３】
ところで、球検出センサは、円形の球通過口を球が通過すると、そのときに発生する電磁誘導作用等で、出力信号を変化させ、球の通過を検出している。
【０００４】
より具体的には、従来は、通常状態でＬ信号（例えば、無信号状態「０Ｖ」）とし、球が通過するときにＨ信号（例えば、０Ｖ以外の印加電圧（例えば、３．３Ｖ、５．０Ｖ等））のパルス信号を出力する。このＨ信号がコントローラ等の監視制御部に入力することで、球の通過があったことを検出している。
【０００５】
ところで、前記球検出センサに、特別な電磁波（以下、「特定周波数電磁波」という場合がある）を、例えば、遊技盤面のガラス板に対面する方向に配置された出力装置から発せられると、誤動作することがある。
【０００６】
なお、「電磁波」とは、γ線、ｘ線、紫外線、光、赤外線、電波などが総称するものであり、定義としては、「電気と磁気の波が互いに絡み合いながら、その周期的変化が空中を伝わる波動」となる。
【０００７】
前記特定周波数電磁波は、センサ検出信号にノイズを付加するため、Ｌ信号がＨ信号に反転する機能を有しており、球が通過しなくても球が通過したときと同様の信号を出力させる。このＨ信号パルスが断続して発生すると、球入賞よる賞球が次々と実行されることになる。
【０００８】
この誤動作を防止するため、球検出センサの出力信号を通常時（球の非通過時）をＨ信号（０Ｖ以外の印加電圧）とし、球が通過したとき、Ｌ信号（０Ｖ）となるようにした（例えば、特許文献１参照）。これを実現する回路構成は、例えば、特許文献１の図３等に記載されている。なお、この対策は、球検出センサの出力信号を、後段で反転する構成では前記特定周波数電磁波のノイズの影響を受けるため、球検出センサ自体の出力信号における通常時がＨ信号である必要がある。
【０００９】
この結果、Ｌ信号をＨ信号とする機能を有する出力装置が、意味を持たなくなり、誤動作を防止することができる。なお、ここで言う「誤動作」は、意図的に特定周波数電磁波を出力して、球検出センサの出力信号を操作する、所謂「不正行為」を含む場合がある。
【００１０】
しかしながら、上記特許文献１等では、球の非通過時をＨ信号とすることと、特定周波数電磁波対策との関連性は述べられていない。
【００１１】
すなわち、特許文献１では、「特定周波数電磁波による作用で、不正に信号を反転させることを防止するべく、ダミーセンサ(引用文献３の不正検出器３０ｂ）を配設し、特定周波数電磁波を検出するようにした。」旨の記載しかない。
【００１２】
少なくとも、現在知られている特定周波数電磁波の出力装置では、球検出センサから出力されている信号（Ｈ信号）を、無信号状態（Ｌ信号）とする機能は持っておらず、この結果、引用文献３におけるダミーセンサ（不正検出器３０ｂ）による外部からの特定周波数電磁波に対する信号検出手段は無反応（Ｈ信号出力が継続されてＬ信号にはならない）であり、全く役に立たない構成となっている。
【００１３】
一方、近年、所謂大球（球径が、通常の遊技球（１１．０mm)よりも大きい球）を用い、この大球が球検出センサの通過口を通らないことを利用して、当該通過口に大球を滞留させることがある。
【００１４】
この大球の滞留状態により球検出センサの出力信号がＬ信号に維持され、この状態で、特定周波数電磁波の出力装置から出力される特定周波数電磁波によって、Ｌ信号をＨ信号に反転させることを繰り返し、パルスを生成する。これは、言い換えれば、球通過を示すＬ信号が繰り返され、入賞を検出したときと同等の信号となる。
【００１５】
すなわち、大球と特定周波数電磁波の出力装置との組み合せにより、誤動作が発生することになる。
【００１６】
なお、参考として、球径の異なる遊技球を用いる例として、小球（球径が、通常の遊技球（１１．０mm)よりも小さい球）がある。小球は、釘調整の如何に関わらず、釘間を通過し得ることで、入賞し易くなる。このため、小球を発射前に選別し、排除する構造は従来から知られている（特許文献２参照）。
【００１７】
参考として、大径球の排除については、特許文献３に、基準寸法（直径１１ｍｍ程度）の開口を通過しない大球を排除する技術が開示されている。
【先行技術文献】
【特許文献】
【００１８】
【特許文献１】特開２００８−２４５７６３号公報
【特許文献２】特開平０２−２６５５８２号公報
【特許文献３】実開昭６３−１７４８８６号公報
【発明の概要】
【発明が解決しようとする課題】
【００１９】
本発明は上記事実を考慮し、大球と特定周波数電磁波の出力装置とを組み合わせることで発生する球の誤検出という状況と同じ条件の下で、常に監視することができる遊技機を得ることが目的である。
【課題を解決するための手段】
【００２０】
本発明は、遊技盤に設けられた入賞口よりも遊技球流動方向下流側の入賞流路に設けられ、当該入賞口に入賞した遊技球が通過する検出領域を備え、当該検出領域を遊技球が通過していない通常状態で０Ｖ以外の所定の電圧値に設定された第１の信号を出力し、当該検出領域を遊技球が通過している通過中に出力信号が無信号状態である第２の信号に反転する球検出信号を出力する複数の球検出センサと、前記複数の球検出センサから前記第２の信号が出力された場合に、当該第２の信号が出力された球検出センサに該当する前記入賞口に遊技球が入賞したと認識し、遊技者に対して少なくとも賞球処理を実行する賞球処理実行制御手段と、前記第２の信号への反転信号が生成される特定周波数電磁波を受信する受信範囲内に、前記複数の球検出センサの内の１つが位置している場合でも、当該特定周波数電磁波の受信範囲内に、少なくとも本体受信部の受信範囲又は本体受信部へ前記特定周波数電磁波を導くアンテナ部の受信範囲が入るように取り付けられ、正常な時は常に第２の信号を出力しており、前記本体受信部で前記特定周波数電磁波を受けた時、又は前記アンテナ部で前記特定周波数電磁波を受けた時は反転信号を出力する信号出力手段と、前記信号出力手段からの信号が反転したか否かを監視する監視手段と、を有している。
【００２１】
本発明によれば、信号出力手段では、球検出センサと同等の機能を持ち、前記遊技球が検出領域を通過中と同一の信号を継続して出力する。この結果、監視手段により、信号出力手段からの信号が反転したことを検出すると、物理的に起こり得ない信号反転を検出したことになり、外部からの特定周波数電磁波の影響を受けていると判定される。この結果、球検出センサにも同等の影響を受けていることを認識することができ、例えば、迅速に報知等の処理が可能となる。
【００２２】
また、特定周波数電磁波を受信する受信範囲内に、前記複数の球検出センサの内の１つが位置している場合でも、当該特定周波数電磁波の受信範囲内に、少なくとも本体受信部の受信範囲又は本体受信部へ前記特定周波数電磁波を導くアンテナ線の受信範囲が入るように取り付けられているため、受信感度が向上する。
【００２３】
本発明において、前記信号出力手段が、遊技球の流路以外に配置され、前記球検出センサと同一の機能を持つ擬似球検出センサと、前記遊技球或いは前記擬似球検出センサに対して前記遊技球と同等の影響を与える磁性体の何れかで構成され、前記擬似球検出センサから前記第２の信号を出力させ続けるために、前記擬似球検出センサの検出領域に保持される保持部材とを備え、前記擬似球検出センサには前記本体受信部が設けられ、前記複数の球検出センサが個々に前記特定周波数電磁波を受信することを想定して、何れかの前記球検出センサで前記特定周波数電磁波を受信した場合に、前記擬似球検出センサで前記特定周波数電磁波を受信し得るように、前記アンテナ部が張り巡らされていることを特徴としている。
【００２４】
擬似球検出センサと保持部材とにより、球検出センサにおける検出領域を遊技球が通過している状態を作り出す。この擬似球検出センサの出力信号を監視することで、球検出センサの通過領域に遊技球が滞留しているときの出力信号を監視しているのと同等の監視を行うことができる。
【００２５】
また、前記入賞口に入賞した遊技球を案内すると共に、前記球検出センサがそれぞれ取り付けられた複数の案内流路、並びに前記信号出力手段を備えた球案内パネルをさらに有し、前記球案内パネル上に設けられた前記球検出センサの一部を対象とする指向性を持つ前記特定周波数電磁波であっても、前記信号出力手段の受信範囲となるように、前記アンテナ部を球案内パネルに張り巡らせたことを特徴としている。
【００２６】
球検出センサが集中する球案内パネルにアンテナ部を張り巡らせることで、球検出センサと擬似球検出センサとを１対１に対応させず、相対的に少ない数の擬似球検出センサで、相対的に多い球検出センサを監視することができる。
【００２７】
さらに、前記遊技盤面に対向するように、当該遊技盤面を隔離し、かつ保護するための透明ガラス板が取り付けられたガラス枠が配置されており、前記アンテナ部が、遊技者の遊技盤面に対する視界を妨げないように、前記ガラス枠又はガラス板に沿って張り巡らされていることを特徴としている。
【００２８】
特定周波数電磁波が発振元がガラス枠に対面している領域（例えば、遊技者が着座している領域）であることがほとんどであるため、このガラス枠又はガラス板に沿ってアンテナ部を張り巡らせることで効率的に、特定周波数電磁波を捉えることができる。
【００２９】
また、前記アンテナ部の一部が、前記保持部材に電気的に接続されていることを特徴としている。
【００３０】
本発明において、前記監視手段で前記信号が反転したと判定した場合に、外部からの前記特定周波数電磁波の影響を受けていると判断して、少なくとも前記賞球処理実行制御手段による賞球処理を禁止する禁止手段をさらに有することを特徴としている。
【００３１】
監視手段で前記信号が反転したと判定されると、球検出センサが特定周波数電磁波の影響を受け、誤動作する可能性があるため、賞球処理を禁止する。
【００３２】
本発明において、前記アンテナ部が、線状、或いは板状に形成されていることを特徴としている。
【００３３】
なお、球検出センサは、遊技盤にもうけられ特定領域を通過した遊技球が遊技機に取り込まれる入賞口に装着された態様だけでなく、遊技盤の特定領域を通過した後、遊技盤に再度戻される所謂チャッカと呼ばれる構成の球検出センサに対しても有効であることは言うまでもない。
【発明の効果】
【００３４】
以上説明した如く本発明によれば、大球と特定周波数電磁波の出力装置とを組み合わせることで発生する球の誤検出という状況と同じ条件の下で、常に監視することができるという優れた効果を有する。
【図面の簡単な説明】
【００３５】
【図１】本実施の形態に係るパチンコ機の正面図である。
【図２】本実施の形態に係る遊技盤の正面図である。
【図３】本実施の形態に係る制御系のハード構成を示すブロック図である。
【図４】遊技盤の裏面側に取り付けられた球案内パネルの正面図である。
【図５】（Ａ）は遊技盤の裏面側に取り付けられた球案内パネルの斜視図、（Ｂ）は図５（Ａ）の分解斜視図、（Ｃ）はワイヤを磁性体に取り付けるリベット周辺の拡大図である。
【図６】（Ａ）は球検出センサの斜視図、（Ｂ）は球検出センサの動作タイミングチャートである。
【図７】本実施の形態に係る擬似球検出センサの球案内パネルに取付構造であり、（Ａ）は分解斜視図、（Ｂ）は斜視図、（Ｃ）は６面図である。
【図８】本実施の形態に係る外部特定周波数電磁波監視制御のための機能ブロック図である。
【図９】本実施の形態に係る外部特定周波数電磁波監視制御ルーチンを示すフローチャートである。
【図１０】本実施の形態に係る外部特定周波数電磁波監視制御の動作タイミングチャートである。
【図１１】変形例１に係る擬似球検出センサの球案内パネル取付構造であり、（Ａ）は分解斜視図、（Ｂ）は斜視図、（Ｃ）は６面図である。
【図１２】変形例２に係る擬似球検出センサの球案内パネル取付構造であり、（Ａ）は分解斜視図、（Ｂ）は斜視図、（Ｃ）は６面図である。
【図１３】変形例３に係る擬似球検出センサの球案内パネル取付構造であり、アンテナ部の一部として金属板を適用した球案内パネルの正面図である。
【図１４】変形例４に係る擬似球検出センサの球案内パネル取付構造であり、アンテナ部の一部として金属板を適用した球案内パネルの斜視図、（Ｂ）は図１４（Ａ）の分解斜視図である。
【図１５】変形例４に係る擬似球検出センサの球案内パネル取付構造であり、アンテナ部の一部として金属板を適用すると共にワイヤに別途擬似球検出センサを介在させた場合の球案内パネルの斜視図である。
【図１６】変形例５に係り、球案内パネルの背面に金属製平板を取り付け、特定周波数電磁波の指向性を緩和させる構造とした球案内パネルの斜視図である。
【図１７】変形例６に係り、ガラス枠の裏面に設けられた補強板に擬似球検出センサを取り付けた場合を示すガラス枠の斜視図である。
【図１８】変形例７に係り、ガラス板にワイヤを張り巡らせてアンテナ部としたた場合のガラス枠の斜視である。
【発明を実施するための形態】
【００３６】
（パチンコ機の構成）
図１に示されるように、パチンコ機１０の前面下部には、化粧パネルとなる下飾り１２が取り付けられている。
【００３７】
また、パチンコ機１０の下飾り１２の上部には、互いに平行、かつ奥行き方向に所定の間隔をおいて配置された一対のガラス板１４を装着したガラス枠１６が配置されており、ガラス枠１６は左側端部が軸支されて開閉可能に取り付けられている。このガラス枠１６の奥側には、着脱交換可能な遊技盤１８がセットされており、遊技盤１８は、ガラス枠１６で閉塞された状態でガラス板１４に対向するようになっている。
【００３８】
ガラス枠１６の下部には、一体皿２４が配置されている。一体皿２４の図１の右端部には、鍵穴２７が設けられ、この鍵穴２７にキーを差し込み、左右の内、一方に回すとガラス枠１６が開放し、他方に回すと一体皿２４が開放する。
【００３９】
一体皿２４には、上皿部２８と、下皿部３０とが設けられている。上皿部２８を形成する周縁壁部３２には、上皿球抜きレバー３４が設けられ、この上皿球抜きレバー３４を操作することで、上皿部２８に貯留された遊技球を下皿部３０へ送り出すことができるようになっている。また、下皿部３０には、下皿球抜きボタン３６が設けられ、この下皿球抜きボタン３６を操作することで、下皿部３０に貯留された遊技球ＰＢを外部（例えば、所謂「ドル箱」）へ排出することができるようになっている。
【００４０】
上皿部２８の周縁壁３２における図１の右端部には、球貸ボタン４２と、返却ボタン４４が設けられている。
【００４１】
また、一体皿２４の右側下部には打球の発射力（飛距離）を調整するためのグリップユニット（発射ハンドル）２６が取り付けられ、左側下部には、灰皿４６が取り付けられている。
【００４２】
一体皿２４における下皿部３０の図１の右側には受け皿スピーカ６０Ｕが配置されている。
【００４３】
ここで、一体皿２４における上皿部２８の周縁壁３２には、遊技者が操作可能な操作ボタン５０が設けられている。この操作ボタン５０は、遊技中において、操作有効期間中に操作することで、演出画像に対して介入することができるようになっており、それぞれの遊技仕様によって設定される。
【００４４】
ガラス枠１６におけるガラス板１４の周囲には、アーチ状に遊技の進行に応じて点灯、消灯、及び点滅し照明による視覚的効果や、音声等による聴覚的効果等の演出効果を生み出す上部演出部５２が配置されている。この上部演出部５２の下端部は、一体皿２４の周囲に略Ｕ字型に配置された下部演出部５４の上端部と連結されている。
【００４５】
この結果、上演出部５２と下演出部５４とで、遊技盤１８の周囲を取り囲むように、演出部５６が形成されている。
【００４６】
この演出部５６は、上演出部５２及び下演出部５４共に、照明部材（ＬＥＤ等）が取り付けられた基板（図示省略）と、この基板を覆うように、所定の意匠で形成されたレンズカバー５８が取り付けられている。
【００４７】
レンズカバー５８は、前記照明部材が点灯する領域を区画するよう凹凸状にカットされており、区画された領域（以下、必要に応じて「レンズ部５８」という）毎に照明部材の点灯制御がなされる。なお、照明部材は基本的にＲ（赤色）、Ｇ（緑色）、Ｂ（青色）の３色に点灯するＬＥＤが１組となっており、それぞれの点灯時の光量比により、様々な配色の点灯が可能となっている。また、ガラス枠の上部角部には、それぞれ三連表示６２が設けられ、遊技状態の報知（エラー報知等を含む）に適用される。
【００４８】
また、前記上演出部５２における、ガラス枠１６の上部円弧の約１／３に相当する領域の中央及び両端には、ガラス枠スピーカ６０Ｃ、６０Ｌ、６０Ｒが内蔵され、照明と同時に、音声を出力する。
【００４９】
なお、以下では、前述した受け皿スピーカ６０Ｕと、このガラス枠スピーカ６０Ｃ、６０Ｌ、６０Ｒを総称して、「スピーカ６０」という。
【００５０】
（遊技盤の構成）
図２に示される遊技盤１８は、基板となるベニヤ板に樹脂製シート状のセルが貼着されてそのセルの表面が盤面となっており、盤面の外周端部付近に、円弧状の外レール１０２及び内レール１０４が取り付けられている。これらの外レール１０２及び内レール１０４によって囲まれた円形状の領域は、発射装置１６５（図３参照）から発射されて打ち込まれた遊技球ＰＢが自重落下により移動可能とされ、この領域が遊技を行う遊技領域とされている。
【００５１】
遊技盤１８の遊技領域には、釘（図示省略）及び風車２１が点在して打ち込まれている。また、遊技領域におけるほぼ中央には、センター役物１０５が配置されている。センター役物１０５は、各種演出等の映像を表示する液晶表示部（ＬＣＤ表示部）１０６を備えている。
【００５２】
ＬＣＤ表示部１０６では、例えば、３列の図柄列が独立して変動し、最終的に３列の図柄列が同一図柄で停止した場合に特別図柄抽選の当選を報知するといった、図柄変動パターン演出が実行される。なお、３列の内、先に２列が同一図柄で停止（仮停止）して、残りの１列が変動中の場合を、「リーチ」という。
【００５３】
センター役物１０５の下辺部は、ステージ１０５Ｓが形成されている。ステージ１０５Ｓには、釘等で跳ね返えることで受け入れた遊技球ＰＢ、或いは図示しないワープ路に案内されて受け入れた遊技球ＰＢが送り込まれるようになっている。
【００５４】
ステージ１０５Ｓは、傾斜面や突起部等が形成され、前記遊技球ＰＢの移動が当該傾斜面や突起部等により不規則に変化し、最終的に下辺手前から遊技盤１８へ戻されるようになっている。
【００５５】
図２に示される如く、センター役物１０５の図２に向かって左側には、普通図柄抽選の始動機能を持つ通過ゲート１１８が配置されている。
【００５６】
また、センター役物１０５の下部には、特別図柄始動入賞口（Ａ）１２９と特別図柄始動入賞口（Ｂ）１３４とが縦列に配置されている。
【００５７】
特別図柄始動入賞口（Ａ）１２９が常時入賞可能に上部が開口しており、一方、特別図柄始動入賞口（Ｂ）１３４の上部開口は、特別図柄始動入賞口（Ａ）１２９が閉塞している。
【００５８】
この特別図柄始動入賞口（Ｂ）１３４には、電動チューリップ１３６が取り付けられている。電動チューリップ１３６は、遊技盤１８の裏面側に配設された電チューソレノイド１３８（図３参照）の通電・非通電によって開閉する構成となっている。
【００５９】
ここで、電動チューリップ１３６が開放状態になると、特別図柄始動入賞口（Ｂ）の入賞開口部へのパチンコ球ＰＢの受け入れが可能となり、パチンコ球ＰＢの入賞が可能となる。
【００６０】
さらに、図２に示される如く、前記特別図柄始動入賞口（Ｂ）１３４のさらに下部には、遊技領域の下端部付近に位置してアタッカー１１２が配置されている。
【００６１】
アタッカー１１２には、開閉扉１１６が設けられている。この開閉扉１１６が、アタッカーソレノイド１４８（図３参照）の通電・非通電によって開放又は閉塞する。すなわち、開閉扉１１６の開放時には、開閉扉１１６上に落下した遊技球ＰＢが開閉扉１１６に案内されてアタッカー１１２へ入賞する。
【００６２】
また、遊技領域の最下位置には、外れ球を遊技盤１８の裏側へ排出するアウト口１２４が設けられている。
【００６３】
さらに、センター役物１０５よりも下、かつ特別図柄始動入賞口（Ａ）１２９と特別図柄始動入賞口（Ｂ）１３４の左右には、複数の一般入賞口１２０（本実施の形態では、図２に向かって左側に２個の一般入賞口１２０Ａ、１２０Ｃ、右側に１個の一般入賞口１２０Ｃとする。）が設けられている。なお、一般入賞口１２０は、３個の限られるものではなく、例えば、入賞率等の設計上の演算によってその数を決めればよい。
【００６４】
また、この遊技領域に設けられたセンター役物１０５や盤面周縁には、遊技の進行に応じて点灯、消灯、及び点滅し照明による演出効果を生み出す照明演出用の発光素子１３６（図３参照）が多数設けられている。
【００６５】
ここで、特別図柄始動入賞口（Ａ）１２９又は特別図柄始動入賞口（Ｂ）１３４に遊技球ＰＢが入賞すると、特別図柄抽選が実行され、この特別図柄抽選に当選すると、前記アタッカー１１２の開閉扉１１６が所定のパターンで開閉動作し、これを所定回数（所定ラウンド）繰り返すようになっている（「特別遊技状態」又は「大役処理」等と言う場合がある）。
【００６６】
なお、前記特別図柄抽選の当選／落選は、主としてＬＣＤ表示部１０６の図柄変動表示演出において報知され、この図柄変動パターン演出中、或いは、前記大役処理中の場合は、抽選結果を保留し、順次報知していくようになっている。また、図柄変動表示演出と共に、動物などが擬人化されたキャラクタが表示され、抽選で当選した旨を暗示させることにより、遊技者に期待感を持たせるといった、視覚的な演出をすることがあり、その場合は効果音によって聴覚からも遊技者の興趣を増大させる。
【００６７】
なお、本実施の形態では、１個の特別図柄始動入賞口に対して最大４個（本実施の形態では、特別図柄始動入賞口（Ａ）１２９及び特別図柄始動入賞口（Ｂ）１３４の２個の特別図柄始動入賞口なので、８個となる。）の保留が可能となっている。なお、この保留球数に限定されるものではない。
【００６８】
保留球数は、センター役物１０５における、図２に向かって右下に配置され、主として特図表示部を備えた遊技進行ガイドランプユニット１０９の一部である保留ランプによって報知される他、ＬＣＤ１０６の一部を用いて、遊技者に見易く表示するようになっている。
（制御系の構成）
次に、図３を用いてパチンコ機１０の制御系について説明する。
【００６９】
図３に示されるように、本実施形態に係るパチンコ機１０の制御系は、主制御部１５０を中心として構成されており、この主制御部１５０には、演出制御部１５２と払出制御部１５４とが接続されている。主制御部１５０には、遊技に関する基本的なプログラムが記憶されており、この主制御部１５０からの命令信号に基づいて、各部の動作が制御されるようになっている。
【００７０】
主制御部１５０からは盤用外部端子１９０を介してホールコンピュータ（図示省略）へ遊技の進行状態を示す情報（始動入賞信号や大当たり信号、図柄確定回数信号）が送信される。
【００７１】
主制御部１５０には、入力系として、通過ゲート１１８を通過する遊技球ＰＢを検出する通過ゲートセンサ１１８Ｓ、特別図柄始動入賞口（Ａ）１２９への入賞球を検出する特図Ａ始動口センサ１２９Ｓ、特図Ｂ始動入賞口１３４への入賞球を検出する特図Ｂ始動口センサ１３４Ｓ、特別遊技状態の際に開放するアタッカー１１２への入賞球を検出するアタッカーセンサ１１２Ｓ、一般入賞口１２０Ａ、１２０Ｂ、１２０Ｃへの入賞球を検出する一般入賞センサ１２０ＡＳ、１２０ＢＳ、１２０ＣＳが接続されている。
【００７２】
また、主制御部１５０には、出力系として、遊技情報をランプの点灯状態で報知するガイドランプユニット１０９、電動チューリップ１３６を開閉する電チューソレノイド１３８、アタッカー１１２の開閉扉１１６を開閉するためのアタッカーソレノイド１４８が接続されている。
【００７３】
演出制御部１５２には、入力系として、操作ボタン５０が接続されている。また、演出制御部１５２には、出力系として、パチンコ機１０の各種遊技部品に設けられた照明演出用の発光素子１３６、スピーカ６０が接続されている。
【００７４】
さらに、演出制御部１５２には、図柄制御部１５６を介してＬＣＤ表示部１０６が接続されている。
【００７５】
払出制御部１５４には、払出装置１６０及び発射制御部１６４が接続され、発射制御部１６４には発射装置１６５が接続されている。この払出制御部１５４は、パチンコ機１０内に設けられた払出装置１６０を作動させて、賞球又は貸し球の払い出し及び停止動作と払出数を制御する。また、発射制御部１６４は、遊技者によるグリップユニット２６（図１参照）の操作により発射装置１６５を作動させて、遊技球ＰＢの発射開始、及び、グリップユニット２６の操作量に応じた発射力を制御する。
【００７６】
さらに、払出制御部１５４では、枠用外部端子１９１を介して払出情報をホールに設置されたホールコンピュータ（図示省略）へ送信するようになっている。
【００７７】
ここで、図４及び図５（Ａ）〜（Ｃ）に示される如く、遊技盤１８の裏面側（遊技者と対面する側を表面とする）における、役物ユニット１０５の下部には、球案内パネル２００が取付られている。この球案内パネル２００は、図２に鎖線で示されるように、役物ユニット１０５の下部に集中している入賞口（特別図柄始動入賞口（Ａ）１２９、特別図柄始動入賞口（Ｂ）１３４、一般入賞口１２０Ａ、１２０Ｂ、１２０Ｃ）に対応するように取り付けられている。
【００７８】
図５（Ａ）及び（Ｂ）に示される如く、球案内パネル２００は、遊技盤１８の幅方向寸法と略同一の幅寸法を有し、前記役物ユニット１０５の下部の領域に相当する遊技盤１８の高さ寸法と略同一の高さ寸法を有しており、全体として横長の薄板形状であり、この薄板形状の主面部２００Ａの少なくとも周縁から壁面部２００Ｂが突出されて箱型に形成されている。
【００７９】
球案内パネル２００には、前記周縁の壁面部２００Ｂに加え、各所に壁面部２００Ｃが突出されている。これにより、球案内パネル２００には、前記５個の入賞口（特別図柄始動入賞口（Ａ）１２９、特別図柄始動入賞口（Ｂ）１３４、一般入賞口１２０Ａ、１２０Ｂ、１２０Ｃ）から入賞した遊技球ＰＢを案内するための、それぞれ独立した球案内流路２０２、２０４、２０６、２０８、２１０が形成されている。
【００８０】
それぞれの球案内流路２０２、２０４、２０６、２０８、２１０の途中には、特図Ａ始動入賞センサ１２９Ｓ、特別Ｂ始動入賞センサ１３４Ｓ、一般入賞センサ１２０ＡＳ、１２０ＢＳ、１２０ＣＳ（総称する場合、「球検出センサ２１２」という）が配置されている。
【００８１】
図６（Ａ）に示される如く、球検出センサ２１２は、薄型板状の直方体形状であり、円形の通過孔２１２Ａが形成されている。
【００８２】
この通過孔２１２Ａが遊技球ＰＢを検出する検出領域であり、この検出領域（通過孔２１２Ａの周縁）に検出部２１２Ｂが設けられている。また、球検出センサ２１２には、前記検出部２１２Ｂからの信号を受けて、出力信号を生成する信号生成部２１２Ｃが設けられている。本実施の形態では、図６（Ｂ）に示される如く、球検出センサ２１２に駆動電力が供給されると、前記通過孔２１２Ａに遊技球ＰＢが通過していない状態（通常状態）において、検出信号としてＨ信号（３．３Ｖ又は５．０Ｖ）を出力する構成となっている（第１の信号）。逆に、通過孔２１２Ａを遊技球ＰＢが通過しているときＬ信号（無信号）となる（第２の信号）。
【００８３】
なお、上記Ｈ信号／Ｌ信号は相対的な信号レベルを表すものであり、逆に、第１の信号が−３．３Ｖ又は−５．０Ｖであり、第２の信号が０Ｖである場合は、第１の信号がＬ信号、第２の信号がＨ信号となる場合もある。ここで、重要なのは、遊技球ＰＢを検出していないとき、０Ｖ以外の電圧が印加されていること（第１の信号）、並びに、遊技球ＰＢを検出すると０Ｖとなること（第２の信号）、を条件とした出力信号を持つ球検出センサ２１２が適用されることである。
【００８４】
このように、球非検出でＨ信号、球検出Ｌ信号とすると、例えば、外部からの特定周波数電磁波が当該球検出センサ２１２の検出領域に届いた場合でも、Ｈ信号が維持されることになる。すなわち、外部からの特定周波数電磁波は、Ｌ信号（無信号状態）の出力を、Ｈ信号に変換させる能力はあるが、Ｈ信号をＬ信号に変換する能力はないからである。
【００８５】
前述したように、図４及び図５に示す球案内パネル２００には、上記のように複数の球検出センサ２１２が点在している。ここで、球案内パネル２００には、当該複数の球検出センサ２１２と同一の条件下となるように、擬似球検出センサ１２２Ｓが取り付けられている。この擬似球検出センサ１２２Ｓは、他の球検出センサ２１２と同様に、図３に示される如く、主制御部１５０に接続されている。
【００８６】
具体的には、擬似球検出センサ１２２Ｓは、球案内パネル２００の両端近傍にそれぞれ設けられている。すなわち、球案内パネル２００には、２個の疑似球検出センサ１２２Ｓが取り付けられている。
【００８７】
球案内パネル２００における、擬似球検出センサ１２２Ｓの取り付け位置には、枠状に形成されたリブ２１４により固定ベース部となっている。このリブ２１４の一部から突出した第１の爪部材２１６とで構成されており、リブ２１４に囲まれた領域に前記擬似球検出センサ１２２Ｓをあてがい、そのまま押し込むと、第１の爪部材２１６が一時的に弾性変形して復帰し、擬似球検出センサ１２２Ｓを係合するようになっている。
【００８８】
また、図７に示される如く、擬似球検出センサ１２２Ｓの通過孔１２２ＳＡに対応する部分には、爪が互いに相反する外向きとされた第２の爪部材２１８（取付手段）が形成されている。
【００８９】
前記擬似球検出センサ１２２Ｓの通過孔１２２ＳＡには、当該通過孔１２２ＳＡの内径よりも若干小さい外径の円筒形状の磁性体１３０が収容されている。前記第２の爪部材２１８は、この円筒形状の磁性体１３０の内側を通過するときに一時的に弾性変形し、磁性体１３０が完全に通過孔１２２ＳＡに収容されると、磁性体１３０の手前側端面に係合するようになっている。
【００９０】
前記擬似球検出センサ１２２Ｓ及び磁性体１３０は、球検出センサ２１２の検出領域（通過孔２１２Ａ）を遊技球ＰＢが通過している状況を作っている。このため、擬似球検出センサ１２２Ｓの出力信号は、球検出状態であるため、常時Ｌ信号（無信号）となる。
【００９１】
常時Ｌ信号の擬似球検出センサ１２２Ｓは、例えば、外部からの特定周波数電磁波により、Ｈ信号に変換される可能性がある。言い換えれば、常に、特定周波数電磁波に影響される状況となっており、この信号の変化を主制御部１５０の監視制御部２５０（図８参照）によって監視することで、少なくとも、球案内パネル２００に取り付けられた他の球検出センサ２１２にも、特定周波数電磁波の影響が及んでいるか否かを監視することができるようになっている。
【００９２】
例えば、球検出センサ２１２の通過孔２１２Ａに、何らかの理由で磁性体が保持された状態で、特定周波数電磁波が発生すると、この特定周波数電磁波によりＬ信号−Ｈ信号が繰り返されると、入賞があったと認識する場合がある。このような場合、擬似球検出センサ１２２Ｓの出力信号を監視しておけば、外部からの特定周波数電磁波の有無を認識できるため、誤った入賞検出を未然に防止することができることになる。
【００９３】
なお、球検出センサ２１２の通過孔２１２Ａに、磁性体が保持される状況の一例としては、通常の遊技球ＰＢの外径規格（１１．５ｍｍ）程度よりも大きく、通過孔２１２Ａに引っ掛かる程度の大球（直径ｄ≦１１．５ｍｍ）が混在することが考えられる。
【００９４】
ところで、本実施の形態では、２個の疑似球検出センサ１２２Ｓを、球案内パネル２００の両端に配置したのは、当該球案内パネル２００に各所に配置される球検出センサ２１２の何れか１つが、前記特定周波数電磁波を受けた場合でも、確実に何れかの疑似球検出センサ１２２Ｓでも当該特定周波数電磁波を受けるようにするためである。
【００９５】
しかしながら、特定周波数電磁波の指向性等の伝搬状態は予め把握されるものではないため、例えば、特定周波数電磁波の指向性が強い場合は、所謂ピンポイントで特定の球検出センサ２１２にのみ特定周波数電磁波の受信範囲となる場合がある。
【００９６】
そこで、本実施の形態では、図４及び図５（Ａ）、（Ｂ）に示される如く、２個の疑似球検出センサ１２２Ｓのそれぞれに取り付けられている磁性体１３０同士を金属製のワイヤ（線材）１３１によって電気的に接続すると共に、ワイヤ１３１を球案内パネル２００の外周縁の一部に合わせて沿わせるによる配置した。このワイヤ１３１がアンテナ部となる疑似球検出センサ１２２Ｓ内の本体受信部として機能する検出部２６０へ特定周波数電磁波を導き易くした。
【００９７】
図５（Ｃ）に示される如く、ワイヤ１３１の両端部は輪状に形成され、リベット１３３が通過する構造となっている。リベット１３３は、前記第２の爪部材２１８（図７参照）を回避する切欠部１３３Ａが形成されており、当該リベット１３３を磁性体１３０の内側に圧入することでワイヤ１３１と磁性体１３０と電気的接続を可能としている。
【００９８】
なお、後述するビス止め構造（図１１参照）においては、そのまま、輪状のワイヤ１３１をビスに貫通させて螺合すれば、電気的接続も同時に行うことができる。
【００９９】
図８は、主制御部１５０における、各入賞口の球検出センサ２１２、擬似球検出センサ１２２Ｓからの出力信号に基づく、外部からの特定周波数電磁波の有無の監視を行う監視制御部２５０の動作を機能別に示した機能ブロック図である。
【０１００】
（球検出センサ２１２）
各入賞口（特別図柄始動入賞口（Ａ）１２９、特別図柄始動入賞口（Ｂ）１３４、一般入賞口１２０Ａ、１２０Ｂ、１２０Ｃ等）の流路に取り付けられた球検出センサ２１２（特図Ａ始動入賞センサ１２９Ｓ、特図Ｂ始動入賞センサ１３４Ｓ、一般入賞センサ１２０ＡＳ、１２０ＢＳ、１２０ＣＳ等）は、検出部２１２Ｂを備えている。検出部２１２Ｂとしては、前記検出領域である通過孔２１２Ａの周縁に埋め込まれたコイル等が代表的である。検出部２１２Ｂは、信号生成部２１２Ｃに接続されている。信号生成部２１２Ｃは、前記コイルに発生する電界（又は磁界）によって変化する信号の発生源である発振回路、変化する信号を検出する検波回路、波形整形回路等で構成されている。なお、電界と磁界は交互に発生するものであるので、コイルに予め電流を流し電界を生成しておけば球が通過するとき磁界が発生するということができ、コイルに電流が流さないでおけば球が通過するとすれば電界が発生するということもできる（以下、「電界」、「磁界」に関しては同様とする）。
【０１０１】
信号生成部２１２Ｃは、主制御部１５０のセンサ信号取得部２５２に接続されている。このセンサ信号取得部２５２で、球検出センサ２１２の信号生成部２１２Ｃで生成された信号を取得すると、この信号は、判定信号生成部２５４へ送出されるようになっている。
【０１０２】
判定信号生成部２５４では、最終的に遊技球ＰＢが入賞したか否かの判断をする二値の判定信号が生成され、入賞判定部２５６へ送出する。
【０１０３】
入賞判定部２５６では、遊技球ＰＢが入賞したか否かを、前記判定信号によって判定し、入賞したと判定されると、賞球数演算部２５８へ入賞信号を送出する。これにより、賞球数演算部２５８では、賞球数データを演算し、払出制御部１５４へ送出することで、払出制御部１５４では、払出装置１６０（図３参照）を制御して、払出処理が実行されるようになっている。
【０１０４】
（擬似球検出センサ１２２Ｓ）
擬似球検出センサ１２２Ｓは、前記球検出センサ２１２と同一構造であり、検出部２６０を備えている。検出部２６０としては、前記検出領域である通過孔１２２ＳＡ（図７参照）の周縁に埋め込まれたコイル等が代表的である。検出部２６０は、信号生成部２６２に接続されている。信号生成部２６２は、前記コイルに発生する電界によって変化する信号の発生源である発振回路、変化する信号を検出する検波回路、波形整形回路等で構成されている。
【０１０５】
信号生成部２６２で生成した信号は、主制御部１５０に設けられた監視制御部２５０へ送出されるようになっている。
【０１０６】
すなわち、監視制御部２５０には、センサ信号取得部２６４が設けられ、信号生成部２６２は、このセンサ信号取得部２６４に接続されている。このセンサ信号取得部２６４で、擬似球検出センサ１２２Ｓの信号生成部２６２で生成された信号を取得すると、この信号は、判定信号生成部２６６へ送出されるようになっている。
【０１０７】
判定信号生成部２６６では、二値の判定信号が生成され、出力信号監視部２６８へ送出する。ここで、擬似球検出センサ１２２Ｓでは、通常は、磁性体１３０（図７参照）が常に通過孔１２２ＳＡに収容されているため、擬似的に遊技球ＰＢが通過している状態を形成しており、その結果として、通常状態では、二値の判定信号の内、遊技球検出中の信号が継続して出力されることになる。逆に、この判定信号が反転するのは、外部からの特定周波数電磁波の影響を受けたときということができる。このような特定周波数電磁波を受けたときの信号は、異常信号である。
【０１０８】
出力信号監視部２６８では、異常か否かを、前記判定信号によって判定し、異常と判定されると、エラー報知部２７０へ異常信号を送出する。エラー報知部２７０では、盤用外部端子１９０及び演出制御部１５２へエラー報知情報を送出する。
【０１０９】
この結果、盤用外部端子１９０は、ホールコンピュータへ接続されているため、当該エラーはホール側へ報知され、演出制御部１５２は、接続されてスピーカ６０やＬＣＤ１０６、発光素子１３６を制御して、聴覚、視覚を通じて、エラー発生を報知する。
【０１１０】
また、出力信号監視部２６８は、賞球禁止指示部２７２に接続されている。賞球禁止指示部２７２は、前記出力信号監視部２６８からエラー信号を取得すると、前記入賞判定部２５６に対して無効信号を出力する。これにより、入賞判定部２５６は、球検出センサ２１２からの信号に基づいて入賞を判定しても、これを無効とし、賞球を行わない（禁止処理）。
【０１１１】
以下に本実施の形態の作用を説明する。
【０１１２】
パチンコ機１０による遊技では、遊技者がグリップユニット２６を操作すると、一球ずつ発射装置１６５によって上方へ発射される。発射された遊技球ＰＢは、外レール１０２に沿って遊技盤１８の遊技領域１９に打ち込まれ、遊技釘や風車に当たり方向を変えながら遊技領域１９内を落下する。そして、入賞せずに遊技領域１９の下端部に至った遊技球ＰＢはアウト口４０からパチンコ機１０内に回収される。
【０１１３】
また、遊技球ＰＢが遊技領域１９内に設けた始動入賞口２０に入賞したり、通過ゲート２２を通過すると、それぞれの遊技仕様に基づく処理（例えば、抽選等）が実行されると共に、表示盤１０６への画像表示演出、スピーカ６０を用いた音演出等が実行される。また、図示は省略したが、普通入賞口に入賞すると、予め定めた賞球（払い出し）が実行される。
【０１１４】
（遊技仕様の概要）
まず、主制御部１５０における抽選処理を中心とした遊技制御について説明する。
【０１１５】
特別図柄始動入賞口（Ａ）１２９又は特別図柄始動入賞口（Ｂ）１３４に、遊技球ＰＢが入賞すると、有効始動入賞か否かが判断される。この有効始動入賞とは、保留球が満杯（例えば、１個の始動口に対して４個）ではなく、かつ特別図柄始動入賞口（Ａ）１２９又は特別図柄始動入賞口（Ｂ）１３４へ遊技球ＰＢが入賞したことを言い、これによって抽選権利を得ることになる。なお、無効始動入賞時は、抽選の権利は与えられないが、所定数（３〜５個程度）の賞球払出しがなされる場合もある。
【０１１６】
上記始動入賞が有効始動入賞であった場合には、乱数を取得し、予め記憶されている当り値を読み出し、双方を比較して、抽選が当りか外れかを判定する。
【０１１７】
なお、現在の遊技状態が大当たり処理中、或いは図柄変動パターン演出中の場合は、抽選の権利を保留にするべく、保留数を１つ加算（＋１）し、現在の遊技状態が大当たり処理中ではなく、或いは図柄変動パターン演出中でもなくなったときに、保留数を１つ減算して抽選処理が実行される。
【０１１８】
この抽選の当り／外れに基づいて、図柄変動パターン演出時間を設定し、抽選結果、図柄変動パターン時間を含むコマンドを演出制御部１５２へ送出する。
【０１１９】
演出制御部１５２では、抽選の結果を、設定された演出時間を使って報知する。
【０１２０】
この報知後、抽選の結果が当たりの場合には、特別遊技状態（大当たり処理）が実行される。通常遊技状態では常に閉止状態のアタッカー１１２を所定のラウンド数（５Ｒ，１０Ｒ,１５Ｒ）だけ開閉する。なお、アタッカー１１２の開放時間は最大３０秒であり、アタッカー１１２が開放中に所定数（例えば、８〜１０個）の遊技球の入賞があった時点で閉止し、所定の閉止時間をおいて、次のラウンド（開放）に移行する。これにより、遊技者は短時間で多くの遊技球の賞球を受けることができる。
【０１２１】
ところで、各入賞口（特別図柄始動入賞口（Ａ）１２９、特別図柄始動入賞口（Ｂ）１３４、一般入賞口１２０Ａ、１２０Ｂ、１２０Ｃ等）に遊技球ＰＢが入賞すると、これを球案内流路２０２、２０４、２０６、２０８、２１０に設けられた球検出センサ２１２（特図Ａ始動入賞センサ１２９Ｓ、特図Ｂ始動入賞センサ１３４Ｓ、一般入賞センサ１２０ＡＳ、１２０ＢＳ、１２０ＣＳ等）によって検出している。
【０１２２】
この球検出センサ２１２では、球非検出状態では、その出力信号をＨ信号（３．３Ｖ又は５．０Ｖ等）とし、球検出状態、すなわち、通過孔２１２Ａを遊技球ＰＢが通過している間だけ、出力信号をＬ信号（無信号、０Ｖ）としている。
【０１２３】
例えば、球検出センサ２１２の出力信号として、前記と逆に、球非検出状態でＬ信号、球検出状態でＨ信号とすると、外部から特定周波数電磁波の影響で電界が変化し、ノイズが発生し、球検出と同等のＨ信号が出力されることがある。外部からの特定周波数電磁波が、出力されている信号を無信号化する能力はない。そこで、球非検出時をＨ信号、球検出時をＬ信号とすれば、外部からの特定周波数電磁波による、「入賞」という誤判定を回避できる。
【０１２４】
ところが、球検出センサ２１２の通過孔２１２Ａに遊技球ＰＢが滞留されたり、遊技球ＰＢと同等の物性の部材が滞留されると、この滞留中は、球検出センサ２１２からの出力信号がＬ信号となる。この状態で、外部からの特定周波数電磁波があると、球検出センサ２１２からの出力信号がＬ信号、Ｈ信号を繰り返す場合があり、この繰り返し分、「入賞」という誤判定をすることになる。
【０１２５】
前記滞留の一例としては、規格上の遊技球ＰＢの直径が１１．５ｍｍであるのに対し、規格以上の直径を持つ球（大球）が発射され、かつ入賞口に入賞した場合等が考えられる。
【０１２６】
そこで、本実施の形態では、入賞口の案内流路２０２、２０４、２０６、２０８、２１０とは別で、かつ外部から特定周波数電磁波の影響を受ける可能性のある球検出センサ２１２と同等に影響を受ける位置に、擬似球検出センサ１２２Ｓを設け、この擬似球検出センサ１２２Ｓの通過孔１２２ＳＡに磁性体１３０を保持した。
【０１２７】
より具体的には、擬似球検出センサ１２２Ｓは、球案内パネル２００に取り付けられている。この球案内パネル２００は、センター役物１０５の下部に設けられ、特別図柄始動入賞口（Ａ）１２９、特別図柄始動入賞口（Ｂ）１３４、一般入賞口１２０Ａ、１２０Ｂ、１２０Ｃに入賞した遊技球の案内流路２０２、２０４、２０６、２０８、２１０が形成されている。案内流路２０２、２０４、２０６、２０８、２１０には、それぞれ特図Ａ始動入賞センサ１２９Ｓ、特図Ｂ始動入賞センサ１３４Ｓ、一般入賞センサ１２０ＡＳ、１２０ＢＳ、１２０ＣＳに相当する球検出センサ２１２が配置されている。
【０１２８】
このため、これらが集中する領域に擬似球検出センサ１２２Ｓを配置することで、例えば、外部からの特定周波数電磁波の影響を、他の球検出センサ２１２が受ける条件と同等の条件で受けることになる。
【０１２９】
この擬似球検出センサ１２２Ｓは、もともと通過孔１２２ＳＡに磁性体１３０が保持されているため、他の球入賞センサ２１２に大球が滞留されている状況と同じであり、常に、該部からの特定周波数電磁波の影響を受ける状態を維持することができるため、この擬似球検出センサ１２２Ｓの出力信号を監視していれば、特定周波数電磁波の有無を判別することができる。
【０１３０】
以下に、擬似球検出センサ１２２Ｓによる監視制御を図９の監視制御ルーチンを示すフローチャート、図１０に示すタイミングチャートである。
【０１３１】
ステップ３００では、擬似球検出センサ１２２Ｓからの信号を取得し、次いで、ステップ３０２へ移行して判定信号を生成する。
【０１３２】
次のステップ３０４では、この判定信号に変化があったか否かが判断され、否定判定された場合は、特定周波数電磁波の影響を受けていないと判断し、このルーチンは終了する。一方、ステップ３０４で肯定判定、すなわち、前記判定信号に変化があったと判定されると、外部からの特定周波数電磁波の影響を受けていると判断し、ステップ３０６へ移行して、賞球禁止を指示し、次いでステップ３０８へ移行して、エラー報知を実行する。
【０１３３】
エラー報知としては、店のホールコンピュータへ通知すると共に、特定周波数電磁波の影響を受けているパチンコ機１０に搭載しているスピーカ６０から聴覚を通じたエラー報知、ＬＣＤ１０６や発光素子１３６等から視覚を通じたエラー報知等が実行される。なお、エラー報知として、店員の形態する受信機等に通知するようにしてもよいし、監視カメラと連動して、特定周波数電磁波の影響を受けている領域を集中的に撮影するようにしてもよい。
【０１３４】
さらには、特定周波数電磁波の影響を受けているパチンコ機１０の電源を遮断するようにしてもよい。この場合、誤った電源遮断で一般遊技者に迷惑がかからないように、停電処理（必要データのバックアップ）をするようにしてもよい。
【０１３５】
なお、本実施の形態では、擬似球検出センサ１２２Ｓに磁性体１３０を第２の爪部材２１８によって係合するようにしたが、取付手段として、図１１に示される如く、リブ２１４で囲まれた固定ベース部にビス２７４により螺合するようにしてもよい（変形例１）。
【０１３６】
すなわち、固定ベース部には、磁性体１３０の内周円１３０Ａに対応する部分に、円筒部２７６が形成されている。
【０１３７】
円筒部２７６は、円筒形状の磁性体１３０の内側を通過し、その突出先端が前記磁性体１３０とほぼ面一状態とされ、ビス２７４を円筒部２７６に螺合することで、磁性体１３０が固体される。なお、この場合、ビス２７４により、疑似球検出センサ１２２ＳＳも所謂共締めすることができる。
【０１３８】
また、他の取付手段として、図１２に示される如く、磁性体１３０を固定ベース部と擬似球検出センサ１２２Ｓとの間に挟持する構成としてもよい（変形例２）。
【０１３９】
この場合、磁性体１３０の固定ベース部側端面に、擬似球検出センサ１２２Ｓの通過孔１２２ＳＡからの抜け止め用のフランジ１３０Ｂが形成されており、これにより、擬似球検出センサ１２２Ｓを第１の爪部材２１６で係合することで、磁性体１３０を挟持することができる。この場合、第１の爪部材２１６が取付手段となり得る。
【０１４０】
さらに、磁性体１３０は、擬似球検出センサ１２２Ｓの通過孔１２２ＳＡから突出させるように取り付けてもよい。この突出によって、磁性体１３０がアンテナ機能を持ち、感度が向上されて、外部からの特定周波数電磁波の影響を受け易くすることができる。
【０１４１】
なお、本実施の形態では、球検出センサ２１２と同型の疑似球検出センサ１２２Ｓをダミーセンサとして適用し、さらに、遊技球ＰＢと同等の物性の磁性体１３０を疑似球検出センサ１２２Ｓの検出領域に配置するようにして、可能な限り、球検出センサ２１２が受ける状況と同等の状況を形成したが、実験等を重ねることで、球検出センサ２１２が受ける状況と同等の状況となる回路基板等を新たに設計、製作し、遊技盤１８に取り付けるようにしてもよい。
【０１４２】
（特定周波数電磁波の受信範囲対策）
本実施の形態では、複数の球検出センサ２１２が取り付けられた球案内パネル２００の両端に、それぞれ疑似球検出センサ１２２Ｓを配置し、さらに、それぞれの疑似球検出センサ１２２Ｓに取り付けられた磁性体１３０同士をワイヤ１３１によって電気的に接続すると共に、当該ワイヤ１３１を、球案内パネル２００の外周縁の一部に沿うように張り巡らし、このワイヤ１３１に、擬似球検出センサ１２２Ｓが特定周波数電磁波を受信するときのアンテナとしての役目を持たせるようにした。
【０１４３】
（アンテナ部の有用性）
特定周波数電磁波の指向性等の伝搬状態は予め把握されるものではないため、例えば、特定周波数電磁波の指向性が強い場合は、所謂ピンポイントで特定の球検出センサ２１２にのみ特定周波数電磁波の受信範囲となる場合がある。
【０１４４】
このため、２個の疑似球検出センサ１２２Ｓでは、このようなピンポイントの特定周波数電磁波を受信できない。特に、球案内パネル２００の中央付近に設けられた球検出センサ２１２等がピンポイントで狙われると、疑似球検出センサ１２２Ｓで受信できない可能性がある。
【０１４５】
一つの方法として、球検出センサ２１２と疑似球検出センサ１２２Ｓとを１対１で配置することも考えられるが、疑似検出センサ１２２Ｓの数を１つでも軽減するべく、当該疑似検出センサ１２２Ｓを互いに最も遠い球案内パネル２００の両端に配置し、それぞれに取り付けられている磁性体１３０同士を金属製のワイヤ１３１によって電気的に接続した。このとき、ワイヤ１３１を球案内パネル２００の外周縁の一部に合わせて沿わせるにように張り巡らせることで、ワイヤ１３１がアンテナ部となって、疑似球検出センサ１２２Ｓ内の本体受信部として機能する検出部２６０へ特定周波数電磁波を導き易くできる。
【０１４６】
なお、本実施の形態では、アンテナ部として、球案内パネル２００の外周縁の一部に沿ってワイヤ１３１を張り巡らせたが、さらに、図１３、図１４（Ａ）、（Ｂ）に示される如く、一方を疑似球検出センサ１２２Ｓ、他方を電磁波検出センサ１２３Ｓとし、この電磁波検出センサ１２３Ｓに対向するように金属製板材（金属板）１３５を取り付けることで、疑似球検出センサ１２２Ｓ自体の受信範囲を拡大するようにしてもよい（変形例３）。
【０１４７】
電磁波検出センサ１２３Ｓとしては、オムロンアミューズメント株式会社製、電波検知センサ（型式Ｗ２ＤＪ−１２）等が適用可能である。
【０１４８】
なお、この場合、金属板１３５の取り付け状態によって、指向性を高めてしまう（受信範囲が狭まる方向ができてしまう）可能性があるため、実験的又は経験的に金属板１３５の形状、板厚、加工状態（エンボス加工や貫通孔加工等）を設定してもよい。また、金属板１３５は平板に限らず、部分的に屈曲させた、例えばパラボラアンテナ等に見られるお椀型等の三次元的な形状であってもよい。さらには、金属板１３５に限らず、前記ワイヤを周状に巻くことで面性を持ったアンテナ部を形成するようにしてもよい。
【０１４９】
また、上記図１３、図１４（Ａ）（Ｂ）の構成に加え、図１５に示される如く、ワイヤ１３１の途中に、球擬似検出センサ１２２Ｓを介在させることで、受信範囲の調整を行うようにしてもよい（変形例４）。例えば、実験的、経験的に特定周波数電磁波の受信可能範囲が確定したとき、例えば、球案内パネル２００の範囲内で、受信されない範囲があったとき、当該部分に球擬似検出センサ１２２Ｓを介在させればよい。
【０１５０】
また、図１６に示される如く、アンテナ部として、球案内パネル２００の背面側に、当該球案内パネル２００の外形と同一の外形が形成された金属製平板１３７を取り付けて、全体を被覆する構成であってもよい（変形例５）。この場合、金属製平板１３７は、擬似球検出センサ１２２Ｓや磁性体１３０とは電気的接続がなされていなくても、球案内パネル２００に到達する特定周波数電磁波の形状（電気力線等の形）を偏平とし、指向性を緩和させることができる。なお、金属製平板１３７は、擬似球検出センサ１２２Ｓや磁性体１３０と電気的接続してもよい。
【０１５１】
また、本実施の形態では、疑似球検出センサ１２２Ｓを球案内パネル２００に取り付けたが、外部からの特定周波数電磁波がガラス板１４（図１参照）側からくることを想定し、疑似球検出センサ１２２Ｓをガラス枠１６やガラス板１４に取り付けるようにしてもよい（以下に示す、変形例６、変形例７）。
【０１５２】
例えば、図１７に示される如く、ガラス枠１６の裏面には金属製の補強板１６Ａが設けられており、この補強板１６Ａの下辺に沿って２個の疑似球検出センサ１２２Ｓが取り付けられている（変形例６）。この２個の疑似球検出センサ１２２Ｓは、互いに磁性体１３０同士が、補強板１６Ａを介して導通状態となり、結果として補強板１６Ａがアンテナ部の役目を有することになり、疑似球検出センサ１２２Ｓによる特定周波数電磁波の受信が広範囲に亘り可能となる。
【０１５３】
また、図１８には、補強板１６Ａに取り付けた２個の疑似球検出センサ１２２Ｓのそれぞれの磁性体１３０同士を、ガラス板１４に沿ってアンテナ部としてのワイヤ１３１によって電気的に接続された構成が示されている（変形例７）。ガラス板１４にワイヤ１３１を張り巡らせることで、特定周波数電磁波の発信源により近づけることができ、かつ、ワイヤ１３１を用いたので、ガラス板１４を通した遊技者の遊技盤面の視野を妨げることを防止することができる。
【符号の説明】
【０１５４】
１０    パチンコ機
１８    遊技盤
６０（６０Ｌ、６０Ｃ、６０Ｒ、６０Ｕ）    スピーカ
１０５    センター役物
１０６    液晶表示部（ＬＣＤ表示部）
１１２    アタッカー
１１２Ｓ    アタッカーセンサ
１２２Ｓ    擬似球検出センサ
１２２ＳＡ    通過孔
１２９    特別図柄始動入賞口（Ａ）
１２９Ｓ    特図Ａ始動口センサ
１３０    磁性体
１３１    ワイヤ（アンテナ部）
１３３    リベット
１３３Ａ    切欠
１３４    特別図柄始動入賞口（Ｂ）
１３４Ｓ    特図Ｂ始動口センサ
１３５    金属板
１３６    電動チューリップ
１３７    金属製平板
１３８    電チューソレノイド
１４８    アタッカーソレノイド
１５０    主制御部
１５２    演出制御部
１５４    払出制御部
２００    球案内パネル
２００Ａ    主面部
２００Ｂ    壁面部
２００Ｃ    壁面部
２０２、２０４、２０６、２０８、２１０    球案内流路
２１２    球検出センサ
２１２Ａ    通過孔
２１２Ｂ    検出部
２１２Ｃ    信号生成部
２１４    リブ
２１６    第１の爪部材
２１８    第２の爪部材（取付手段）
２５０    監視制御部
２５２    センサ信号取得部
２５４    判定信号生成部
２５６    入賞判定部
２５８    賞球数演算部
２６０    検出部
２６２    信号生成部
２６４    センサ信号取得部
２６６    判定信号生成部
２６８    出力信号監視部
２７０    エラー報知部
２７２    賞球禁止指示部
【図１】
0005647870.tif 000002
【図２】
0005647870.tif 000003
【図３】
0005647870.tif 000004
【図４】
0005647870.tif 000005
【図５】
0005647870.tif 000006
【図６】
0005647870.tif 000007
【図７】
0005647870.tif 000008
【図８】
0005647870.tif 000009
【図９】
0005647870.tif 000010
【図１０】
0005647870.tif 000011
【図１１】
0005647870.tif 000012
【図１２】
0005647870.tif 000013
【図１３】
0005647870.tif 000014
【図１４】
0005647870.tif 000015
【図１５】
0005647870.tif 000016
【図１６】
0005647870.tif 000017
【図１７】
0005647870.tif 000018
【図１８】
0005647870.tif 000019